(57)【要約】【課題】プラグが適切にその作業温度を反映できないという問題を解決できる感温変色プラグを提供する。【解決手段】感温変色プラグは、本体１と刃部１１を含み、刃部１１は本体から外部に露出された差込み部とされ、本体１の外縁に、少なくとも一種類且つ少なくとも一層の感温変色インク２が付着され、この感温変色インク２は室温より高い臨界変色温度を有し、上述の感温変色インクは臨界変色温度以下では有色の状態であり、臨界変色温度に等しいかまたは臨界変色温度より高くなると透明の状態になる。【選択図】図１
0003126455.tif 000002
【実用新案登録請求の範囲】
【請求項１】
本体と刃部を含み、前記刃部が前記本体から露出された部分を差込み部とされ、前記本体外縁に少なくとも一種類且つ少なくとも一層の感温変色インクが付着され、前記感温変色インクが室温より高い臨界変色温度を有することを特徴とするプラグ。
【請求項２】
前記感温変色インクが、前記臨界変色温度未満では有色の状態を呈し、前記臨界変色温度に等しい、または前記臨界変色温度より高くなると透明の状態になるものであることを特徴とする請求項１に記載のプラグ。
【請求項３】
前記感温変色インクが付着された前記本体の区域が透明であることを特徴とする請求項１に記載のプラグ。
【請求項４】
前記感温変色インクが複数の種類であり、それぞれ前記本体の異なる区域に配され、且つ、各区域の前記感温変色インクが互いに異なる臨界変色温度を有するものであることを特徴とする請求項１に記載のプラグ。
【請求項５】
前記感温変色インクが複数層設けられ、且つ、各感温変色インクが互いに異なる臨界変色温度を有するものであることを特徴とする請求項１に記載のプラグ。
【請求項６】
本体と刃部を含み、前記刃部が前記本体から露出された部分を差込み部とされ、前記本体外縁に界面層が付着され、前記界面層上に少なくとも一種類且つ少なくとも一層の感温変色インクが付着され、前記感温変色インクが室温より高い臨界変色温度を有することを特徴とするプラグ。
【請求項７】
前記界面層が、剛性片体、撓性片体、撓性膜体、紙、有色の塗布層のうちのいずれかの形態であることを特徴とする請求項６に記載のプラグ。
【考案の詳細な説明】
【技術分野】
【０００１】
本考案は、電気用品のプラグに関し、詳細には、特定の作業温度以上で色が変化するプラグに関する。
【背景技術】
【０００２】
一般的なプラグの構造は、ポリ塩化ビニルなどの絶縁層でプラグの刃を覆ってなり、その使用時にはプラグのそのときの作業温度の状態を示すことができないため、プラグの作業温度に異常が発生したとき適時に適切な処理を行うことが困難である。
【０００３】
台湾実用新案公告第４４６１７７号の明細書には、図８に示すように、プラグＡの刃Ａ１端に感温変色片体Ｂを挿入し、プラグＡの作業温度を警告表示するものが示されている（特許文献１）。
【０００４】
また、台湾実用新案公告第Ｍ２５２１７３号の明細書には、図９に示すように、電源プラグＣの導電金属棒Ｃ１に位置決め体Ｄを接続し、この位置決め体Ｄ上に感温変色材料の薄膜を施し、且つ、透明のプラグ外形体を備え、感温変色材料の薄膜が熱を受けて変色することにより、電源プラグＣの作業温度の異常現象を警告するものが示されている（特許文献２）。
【０００５】
【特許文献１】台湾実用新案公告第４４６１７７号の明細書
【特許文献２】台湾実用新案公告第Ｍ２５２１７３号の明細書
【考案の開示】
【考案が解決しようとする課題】
【０００６】
しかしながら、例えば、上記特許文献１に開示されているものは、その操作過程において抜け落ちが発生しやすく、且つ、感温変色片体Ｂが遺失してしまいやすい。上記特許文献２に開示されているものは、位置決め体Ｄが電源プラグＣ内部に位置しているため、感温変色材料の薄膜が変色した後、透明のプラグ外形体に隔てられるため、その変色警告効果が減損し、かつその組み立てにも時間がかかり、複数の複雑な手順を経てやっと完成するものである。
【０００７】
また、特に上述の２つのプラグは、いずれも単一の作業温度を警告できるのみであり、プラグの作業温度に対し低い状態から高い状態へと段階的に警告を行うことはできず、その警告効果をより向上させることが望まれる。
【０００８】
本考案はこれに鑑みてなされたもので、その目的は、プラグが適切にその作業温度を反映できないという問題を解決することにあり、感温変色プラグを提供することにある。
【課題を解決するための手段】
【０００９】
請求項１に係るは、上記課題を解決するために、本体と刃部を含み、前記刃部が前記本体から露出された部分を差込み部とされ、前記本体外縁に少なくとも一種類且つ少なくとも一層の感温変色インクが付着され、前記感温変色インクが室温より高い臨界変色温度を有することを特徴とする。
【００１０】
請求項２に係るは、請求項１に係るにおいて、前記感温変色インクが、前記臨界変色温度未満では有色の状態を呈し、前記臨界変色温度に等しい、または前記臨界変色温度より高くなると透明の状態になることを特徴とするものである。
【００１１】
請求項３に係るは、請求項１に係るものにおいて、前記感温変色インクが付着された前記本体の区域が透明であることを特徴とするものである。
【００１２】
請求項４に係るは、請求項１に係るものにおいて、前記感温変色インクが複数の種類であり、それぞれ前記本体の異なる区域に配され、且つ、各区域の前記感温変色インクが互いに異なる臨界変色温度を有することを特徴とするものである。
【００１３】
請求項５に係るは、請求項１に係るものにおいて、前記感温変色インクが複数層設けられ、且つ、各感温変色インクが互いに異なる臨界変色温度を有することを特徴とするものである。
【００１４】
請求項６に係るプラグは、本体と刃部を含み、前記刃部が前記本体から露出された部分を差込み部とされ、前記本体外縁に界面層が付着され、前記界面層上に少なくとも一種類且つ少なくとも一層の感温変色インクが付着され、前記感温変色インクが室温より高い臨界変色温度を有することを特徴とする。
【００１５】
請求項７に係るは、請求項６に係るものにおいて、前記界面層が、剛性片体、撓性片体、撓性膜体、紙、有色の塗布層のうちのいずれかの形態であることを特徴とするものである。
【考案の効果】
【００１６】
本考案のプラグによれば、感温変色インクの温度が臨界変色温度に到達またはこれを超過すると、感温変色インクが透明になり、警告効果が発揮される。感温変色インクがプラグの本体または界面層の表面に付着されるため、製造が容易で優れた警告効果を発揮する。感温変色インクがプラグの本体に付着されているので、感温変色部分が遺失するという問題がない。多層或いは複数の区域に感温変色インクを設けると、それぞれ異なる臨界変色温度を有するため、段階的警告効果を生むことができる。感温変色インクはあらゆる造形でプラグの本体に付着され、装飾及び美化効果を備えている。
【考案を実施するための最良の形態】
【００１７】
以下、本考案の実施の形態を図面に基いて詳細に説明する。図１は、本考案の第１実施形態に係るプラグの側面図である。図１に示すように、本考案のプラグは、本体１と感温変色インク２を含み、本体１はその一面に刃部１１を備える。刃部１１は、本体１の外部に露出された部分を差込み部とされ、本体１に覆われた部分を被覆部とされている。
【００１８】
感温変色インク２は、本体１の外縁（前記一面に対向する面）に付着され、この感温変色インク２は室温より高い臨界変色温度を有し、作業温度が臨界変色温度より低いときは、感温変色インク２は有色の状態を呈し、且つ、この色は前述の本体の色とは異なるものとする。一方、感温変色インク２は、作業温度が臨界変色温度に等しい、またはこれより高くなると、透明な状態になる。なお、感温変色インク２は、被覆、印刷、塗布、噴き付け等の任意の方法で本体１の外縁に付着させることができる。
【００１９】
図２に示すように、本体１の刃部１１を電源端に差し込むとき（図２においてはこの電源端のコンセントを示さない）、電流が本体１の刃部１１から伝送される。作業温度に異常が起こり、感温変色インク２の臨界変色温度に到達またはこれを超過すると、本体１に付着された感温変色インク２が元の有色の状態から透明になり、元は遮蔽されていた本体１の色が現れ、この外観色の変化により効果的に作業温度の異常を警告することができる。
【００２０】
次に、本考案の第２実施形態を説明する。図３に示すように、第２実施形態のプラグは、本体１Ａ、感温変色インク２Ａ、界面層３Ａを含む。本体１Ａの外縁に界面層３Ａが付着され、界面層３Ａの外縁が感温変色インク２Ａで被覆される。この界面層３Ａはプラスチック薄膜などの撓性膜体とし、本体１Ａに付着させる方法は貼付とすることができる。これにより、本体１Ａの作業温度が撓性膜体を介して感温変色インク２Ａに伝えられ、作業温度が感温変色インク２Ａの臨界変色温度に到達またはこれを超過すると、感温変色インク２Ａが透明になり、界面層３Ａの色が現れる。界面層３Ａに透明材質を採用する場合、このとき本体１Ａの色が現れるが、界面層３Ａを透明材質するか否かを問わず、いずれにしても本実施形態は作業温度の異常時に変色警告の効果を発揮することができる。
【００２１】
上述の界面層３Ａは撓性膜体のほか、剛性片体、撓性片体、紙、さらには有色の塗布層とすることができる。この界面層３Ａを本体１Ａに付着させる方法は、その材質により嵌合、組み込み、磁力吸引、印刷、熱融着、ネジ固定等の方法を採用することができる。
【００２２】
次に、本考案の第３実施形態を説明する。図４に示すように、第３実施形態のプラグは、本体１Ｂの外縁を２つの区域に区分し、各区域はそれぞれ異なる色を備え、各区域の外にそれぞれ感温変色インク２１Ｂ、２２Ｂが付着され、各感温変色インク２１Ｂ、２２Ｂの臨界変色温度は互いに異なるものとし、そのうち、感温変色インク２１Ｂはより低い臨界変色温度を有するものとする。図５に示すように、本体１Ｂの作業温度が感温変色インク２１Ｂの臨界変色温度に達到またはこれを超過し、但しもう１つの感温変色インク ２２Ｂの臨界変色温度より低いとき、感温変色インク２１Ｂが透明になり、その区域の本体１Ｂの色が現れる。図６に示すように、本体１Ｂの作業温度がもう１つの感温変色インク２２Ｂの臨界変色温度に到達またはこれを超過すると、２つの区域の感温変色インク２１Ｂ、２２Ｂが共に透明になり、これら２つの区域の本体１Ｂの色が現れる。これにより、多区域による段階的変色の警告形態が得られる。
【００２３】
次に、本考案の第４実施形態を説明する。図７に示すように、第４実施形態のプラグは、本体１Ｃの外に二層の異なる色の外層感温変色インク２１Ｃと内層感温変色インク２２Ｃが付着され、両者の臨界変色温度は互いに異なるものとし、そのうち、外層感温変色インク２１Ｃはより低い臨界変色温度を有するものとする。図７に示すように、本体１Ｃの作業温度が外層感温変色インク２１Ｃの臨界変色温度に到達またはこれを超過し、但し内層感温変色インク２２Ｃの臨界変色温度より低いとき、外層感温変色インク２１Ｃが透明になり、内層感温変色インク２２Ｃの色が現れる。本体１Ｃの作業温度が内層感温変色インク２２Ｃの臨界変色温度に到達またはこれを超過すると、内層感温変色インク２２Ｃおよび外層感温変色インク２１Ｃは共に透明になり、本体１Ｃの色が現れる。これにより多層式による段階的変色の警告形態が得られる。
【図面の簡単な説明】
【００２４】
【図１】本考案の第１実施形態に係るプラグの側面図である。
【図２】図１のプラグの使用時の感温変色インクの変色を示す斜視図である。
【図３】本考案の第２実施形態（本体に界面層を設け、界面層上を感温変色インクで被覆）に係るプラグの側面図である。
【図４】本考案の第３実施形態（本体を異なる区域に区分し、異なる感温変色インクで被覆）に係るプラグの斜視図である。
【図５】図４のプラグの感温変色インクが透明になった変色状態を示す斜視図である。
【図６】図４のプラグの感温変色インクがすべて透明になった変色状態を示す斜視図である。
【図７】本考案の第４実施形態（本体に異なる感温変色インクを重ねて付着させた）に係るプラグの側面図である。
【図８】従来のプラグの斜視図である。
【図９】従来の別のプラグの斜視図である。
【符号の説明】
【００２５】
１  本体
１Ａ  本体
１Ｂ  本体
１Ｃ  本体
１Ｄ  本体
２  感温変色インク
２Ａ  感温変色インク
２１Ｂ  感温変色インク
２２Ｂ  感温変色インク
３Ａ  界面層
２１Ｃ  外層感温変色インク
２２Ｃ  内層感温変色インク
Ａ  プラグ
Ａ１  刃部
Ｂ  片体
Ｃ  プラグ
Ｃ１  金属棒
Ｄ  位置決め体
【図１】
0003126455.tif 000003
【図２】
0003126455.tif 000004
【図３】
0003126455.tif 000005
【図４】
0003126455.tif 000006
【図５】
0003126455.tif 000007
【図６】
0003126455.tif 000008
【図７】
0003126455.tif 000009
【図８】
0003126455.tif 000010
【図９】
0003126455.tif 000011